(57)【要約】【課題】従来の単体型コアは、挿入棒先端への装着をコア下端部に内側に鉤状に迫り出した突縁部を挿入棒に螺合される止着ヘッドによって係止する方法によっており、コア部材の装着は一度止着ヘッドを外してからコア部材を挿入して再び止着ヘッドを螺合しなければならなかった。【解決手段】本体を可塑性金属で構成し、外表面全体を弾性素材で被覆すると共に頂部を押圧により外側に曲折する曲折構造とし、その下部にフランジを設け、被覆弾性素材の下端縁が金属製本体下端縁の内側に突出し挿入棒係止形状部に係合する突状体を形成し、或いはこれと共に頂部に突出部を形成して構成した。【選択図】図１
2006226490.tif 000002
【特許請求の範囲】
【請求項１】
本体を可塑性金属で構成し、外表面全体を弾性素材で被覆すると共に、頂部を押圧により外側に拡幅して曲折する曲折構造とし、その下部にフランジを設け、被覆弾性素材の下端縁が金属製本体下端縁の内側に突出して、挿入棒係止形状部に係合する突状体となることを特徴とする分水栓密着コア
【請求項２】
挿入棒係止形状部に係合する突状体をコア部材上端曲折構造部の内径端縁にも形成するようにした請求項１記載の分水栓密着コア
【請求項３】
挿入棒係止形状部に係合する突状体の形状を、コア部材内径を周回する突条体とした請求項１又は請求項２記載の分水栓密着コア
【請求項４】
挿入棒係止形状部に係合する突状体の形状を、コア部材内径の周回線上に適宜間隔で配置する突起体とした請求項１又は請求項２記載の分水栓密着コア
【発明の詳細な説明】
【技術分野】
【０００１】
本発明は、水道配管の本管から支管に分岐して配水される際に、支管基部に配設されて支管への給水を開閉制御する分水栓の設置に際し、分水栓への通水口となる本管穿孔部から分水栓通水口にかけて挿通し孔壁に密着して管外径部との水の接触を防止すると共に、穿孔壁の錆発生を防止する分水栓密着コアに関するものである。
【背景技術】
【０００２】
従来、分水栓密着コアは外郭スリーブとこれに装嵌される内嵌スリーブから成り、外郭スリーブに内嵌スリーブを圧入することにより所要部を変形させて孔壁に密着させる装嵌型コア（例えば特許文献１、２）、当初から単体で構成されたコア部材を挿通部に挿入して圧潰等により所要部を変形させて孔壁に密着させる単体型コア（例えば特許文献３）が存在し、それぞれ、専用の挿入棒により穿孔部外縁に係着させてきた。
【０００３】
本発明は上記の単体型コアで、燐脱酸銅（Ｃ１２２０）等の可塑性金属で構成し、外表面をゴム等の弾性素材で被覆した本体の頂部を押圧により曲折圧潰させる形態の分水栓密着コアに関するものである。
【特許文献１】特開２００４−１６２８２４号公報
【特許文献２】特開２００１−３０４４８７号公報
【特許文献３】特開平８−１５９３５６号公報
【発明の開示】
【発明が解決しようとする課題】
【０００４】
頂部を曲折圧潰させる形態の単体型コアは、挿入棒先端に装着して本管穿孔部の所定位置まで挿入し、筒状本体の内径部に挿入棒拡径部を圧入しながら、更に、拡径部上部フランジの押圧によりコア頂部を曲折変形するものである。
【０００５】
しかしながら、従来の単体型コアは、挿入棒先端への装着をコア下端部に内側に鉤状に迫り出した突縁部を挿入棒に螺合される止着ヘッドによって係止する方法によっており、コア部材の装着は一度止着ヘッドを外してからコア部材を挿入して再び止着ヘッドを螺合しなければならなかった。
【０００６】
また、コア頂部には挿入棒に対する特別の係止構造は構成されておらず、専ら下端部の突縁部と止着ヘッドの螺合支持に依存しているため、上端部の保持が不安定となる問題があった。
【０００７】
更に、従来は金属製本体の表面を弾性皮膜で局部的に被覆してきたが、挿入棒拡径部の圧入によるコア部材の拡径が不均質となる問題に加え、挿入棒先端への係着を金属製本体先端端縁の迫り出し形状によると、コア部材内径スペースが止着ヘッド基部等、挿入棒先端部の係止フランジ側部にかかる余裕がなくなりコア部材の係着作業がやり難くなる問題もあった。
【課題を解決するための手段】
【０００８】
本発明は上記した問題に鑑みこれに対応しようとするものであり、コア部材の外表面全体を弾性素材で被覆すると共に、被覆弾性素材の下端縁が金属製本体下端縁の内側に突出して、挿入棒係止形状部に係合する突状体となるようにし、金属製本体、或いはその外表面を被覆する弾性皮膜の可塑弾性によって挿入棒に設けた係止凹部にワンタッチで挿嵌できるようにした。
【０００９】
このような構成により、被覆弾性素材が直接に挿入棒に接触して柔軟性のある弾性により挿入棒への係着を安定させると共に、コア部材の拡径圧着後の孔壁圧接面との圧接による水密効果を更に高めるようにしたものである。
【００１０】
また、挿入棒への係着構造をコア部材上端曲折構造部の内径端縁に形成するようにして、部材上端側での挿入棒係着を図り、下端部に係着機構が存在しない形態の挿入棒にも対応できるように構成した。
【００１１】
更に、挿入棒への係着突状体の形態を、挿入棒の部材係着環境に対応してコア部材内径を周回する突条体、或いはコア部材内径の周回線上に適宜間隔で配置する突起体に構成して幅広い形態の挿入棒に対応できるように構成した。
【実施例】
【００１２】
以下、図面を参照して分水栓の設置から密着コアの装着を行う本発明の実施例を説明する。３はコア部材で、純銅、燐脱酸銅などの可塑性素材によって構成され、外表面をゴム等の弾性素材による被膜層３７を固着した筒状本体３の頂部３３に押圧による曲折を予定した曲折構造３５を設け、その下部には装着される水道本管２上面にコア部材を支持するフランジ部３４が形成されている。
【００１３】
曲折構造３５は、周壁が曲折により外側に若干せり出した拡幅形状になっており、挿入棒４に係着された状態で本管穿孔部１１に挿入され、挿入棒のフランジ部４３下端テーパー面の圧入による頂部３３の押圧により外側に曲潰拡幅して曲折し拡幅周壁３６が更にせり出して分水栓通水口１１の内壁に圧接されるようになっている。
【００１４】
被膜層３７は、可塑性金属で構成した本体下端縁を含む外表面全体を弾性素材で被覆すると共に、その被覆弾性素材被膜層の下端縁が金属製本体下端縁の内側に突出する形態の突状体３１ａに形成され、挿入棒４の係止フランジ４４の上面にその突状体３１ａの下端が係架するように構成されている。
【００１５】
コア部材３の挿入棒４への装着は、挿入棒４の先端を筒状本体３の頂部３３から挿通し、コア部材着装部４１の下端と筒状本体３の頂部３３の上端が突合すると筒状本体自体の弾性によって狭窄部が押し開かれて挿入棒が圧入され、係止フランジ４４の上端に至ると突状体３１ａの下端が係止フランジ４４の上端面に嵌まり込んで嵌合係止されるものである。
【００１６】
更に、コア部材３の頂部３３の曲折構造部３５はくの字形に屈曲し、その上端内径端縁が内方に突出するように形成されているので、この突出部３１ｂが挿入棒４のコア部材着装部４１の上端側に形成された支持溝４８に係着して、前記３１ａの下端係止と相まってコア部材３が挿入棒４に安定的に係着される。
なお、この突出部３１ｂは設けなくても良い場合もある。
【００１７】
突状体３１ａは、その形状を図３に示すようにコア部材内径を周回する突条体３１ｅとし、或いは、図４に示すようにコア部材内径の周回線上に適宜間隔で配置する突起体３１ｆとして対応することができる。
【００１８】
次に、本発明による分水栓密着コアのサドル付分水栓通水口１１への装着形態と、サドル付分水栓の構造について図５以下により説明すると、１は分水栓本体で、下部に分水栓を設置する水道配管の本管２に締着するサドル１２、その上部に通水口１１が開口する。
【００１９】
通水口１１の上部は弁室１３で、球弁回動軸１４に嵌合する操作杆によって回動する球弁１５を格納し、支管への通水路１６を開閉する。弁室１３の上部は開放孔１８となっていて常時はキャップ１７によって閉栓されている。
【００２０】
先ず、分水栓１を設置する水道配管の本管２に、分水栓に付設されたサドル１２によって分水栓を取付け、キャップ１７を外し球弁１５を開放状態にすると、分水栓上部開放孔１８から弁孔１９を通じて本管２への通孔が開通するので、開放孔を通じて本管２に穿孔機により穿孔通水孔２１を穿孔する。
【００２１】
穿孔通水孔が穿孔されると、本管２の水圧により水が穿孔機に設けられた排水路に溢出し、溢出水と共に穿孔による切粉等の不純物が排出されるので球弁１５を閉栓して止水し、キャップ１７が螺合していた螺合部４５に、コア部材３を止着した挿入棒４を図９に示すような挿入機５に接合して挿入機５の螺着部５１を螺着し、球弁１５を開栓する。
【００２２】
球弁１５の開栓により、再び分水栓上部開放孔１８から弁孔１９を通じて本管２への通孔が開通する。なお、挿入棒４の長さが挿入機５の挿入棒収容部５２と分水栓の開放孔１８のスペースに収容しきれない場合には図１０に示すようなスペースアダプター６を介在させて長さ調節を行う。
【００２３】
スペースアダプター６は、挿入機５の先端部に対応する筒状体で構成され、上部に挿入機５の螺着部５１の雌螺子と螺合する雄螺子６１が刻設され、下部は挿入機５の螺着部５１と同一の雌螺子構造となっているので、上端の雄螺子６１を螺着部５１に螺合すれば下端が挿入機５の螺着部５１となり、アダプター分だけ挿入機５の長さが伸長されることになる。
【００２４】
挿入棒４は、標準的なものとして図１、図２に示すように上端に挿入機５の螺孔５３と螺合する螺合杆４６が設けられ、上部にコア部材３の内径より大径のフランジ部４３、その下部にコア部材内径よりやや大径で下部がテーパー面となる拡径部４２、その下部にコア部材内径よりやや小径で先端がテーパー面となるコア部材着装部４１が設けられ、その下端に拡径部４２とほぼ同径の止着ヘッド４９が螺合される。
【００２５】
挿入機５は、機内に押込杆５４が嵌装され、その下端に挿入棒上端の螺合杆４６と螺合して挿入棒４を接合する螺孔５３が設けられると共に、分水栓上部開放孔１８の外側の螺合部４５と螺合して挿入機５を分水栓上に固定する螺着部５１と押込ハンドル５５を有し、押込杆５４によりコア部材３を装着した挿入棒４を分水栓通水口１１から本管穿孔部２１に強制的に圧入する。
【００２６】
図６に示すように挿入棒４の先端が本管穿孔部２１を貫通してコア部材のフランジ部３４が水道本管２上面に達すると、フランジが本管２の上面に掛架されて挿入棒４の更なる圧入により、拡径部４２がコア部材３を強制的に拡径して通水口１１と穿孔部２１の内壁に圧接する（図７）。
【００２７】
以上のようにコア部材３が通水口１１と穿孔部２１に密着固定されたところで、図８に示すように押込杆５４を引上げ挿入棒４を抜去して螺着部５１の螺合を解き、キャップ１７で分水栓上部を閉鎖して作業が完了する。
【００２８】
本発明は以上のように構成したので、挿入棒４の先端を筒状本体３の頂部３３から挿通して突状体設定部で一挙に挿入棒４の係止部に嵌入係着するだけで、コア部材を挿入棒４の先端に係止することができ、コア部材装着作業の能率を飛躍的に高めたものである。
【図面の簡単な説明】
【００２９】
【図１】本発明による分水栓密着コアの実施例を示すもので、コア部材を縦断面として挿入棒に係止した状態の側面図と突状体設定部の係止状態を示す部分拡大縦断側面図
【図２】同じく、コア部材を縦断面として挿入棒に係止した状態の側面図とコア部材頂部に設けた突出部の係止状態を示す部分拡大縦断側面図
【図３】突状体をコア部材内径を周回する突条体とした状態を示すコア部材底面図
【図４】突状体をコア部材内径の周回線上に適宜間隔で配置する突起体とした状態を示すコア部材底面図
【図５】分水栓と密着コアの関係を示す要部を切欠断面とした分水栓の全体側面図
【図６】挿入棒にコア部材を止着して本管穿孔部に嵌入した状態を示す挿入杆とコア部材の縦断側面図
【図７】挿入棒拡径部をコア部材に強制圧入して挿通し、コア部材頂部を押圧により外側に曲潰拡幅して曲折する状態を示す挿入棒とコア部材の縦断側面図
【図８】挿入棒拡径部をコア部材に強制圧入して挿通し、コア部材頂部を押圧により外側に曲潰拡幅して曲折し、挿入棒を抜去する状態を示す挿入棒とコア部材の縦断側面図
【図９】一部を切欠断面とした挿入機の全体側面図
【図１０】スペースアダプターの一部を切欠断面とした側面図
【符号の説明】
【００３０】
１  分水栓本体
１１  分水栓通水口
１２  締着サドル
１３  分水栓弁室
１４  球弁回動軸
１５  球弁
１６  支管への通水路
１７  キャップ
１８  分水栓上部開放孔
１９  球弁の弁孔
２  水道配管の本管
２１  本管穿孔部
２２  本管内壁ライニング層
３  コア部材
３１ａ  コア部材の下端突状体
３１ｂ  コア部材の上端突出部
３１ｅ  突条に形成した突状体
３１ｆ  突起体に形成した突状体
３３  コア部材の頂部
３４  コア部材のフランジ
３５  コア部材の頂部の曲折構造
３６  コア部材の頂部の曲折拡幅端
３７  弾性素材の被膜層
４  挿入棒
４１  コア部材着装部
４２  拡径部
４３  挿入棒フランジ部
４４  挿入棒下端フランジ部
４５  分水栓上部の螺合部
４６  挿入棒上端の螺合杆
４７  押圧フランジ基部のテーパー部
４８  コア部材着装部の支持溝
４９  止着ヘッド
５  挿入機
５１  挿入機の螺着部
５２  挿入棒収容部
５３  押込杆下端の螺孔
５４  押込杆
５５  押込ハンドル
６  スペースアダプター
６１  スペースアダプターの雄螺子
６２  スペースアダプターの雌螺子
【図１】
2006226490.tif 000003
【図２】
2006226490.tif 000004
【図３】
2006226490.tif 000005
【図４】
2006226490.tif 000006
【図５】
2006226490.tif 000007
【図６】
2006226490.tif 000008
【図７】
2006226490.tif 000009
【図８】
2006226490.tif 000010
【図９】
2006226490.tif 000011
【図１０】
2006226490.tif 000012